(57)【要約】本発明は、成形材料で作られた胴部１と、胴部に固着された竿部２と、竿部に固着された頭部３とを含む弦楽器用構造体であって、頭部３も成形材料で作られ、胴部１および頭部３の成形材料が複合塊体であり、竿部２が炭素繊維材料で作られており、竿部２の胴部１および頭部３への接合４、５が、胴部および頭部の成形可能な複合塊体を成形して竿部と一体の単体にすることによって実現される弦楽器用構造体に関するものである。
2006502429.tif 000002
【特許請求の範囲】
【請求項１】
成形材料で作られた胴部（１）と、該胴部に固着された竿部（２）と、該竿部に固着された頭部（３）とを含む弦楽器用構造体において、
前記頭部（３）も成形材料で作られており、
前記胴部（１）および前記頭部（３）の成形材料が複合塊体であり、
前記竿部（２）が炭素繊維材料で作られており、
前記竿部（２）の前記胴部（１）および前記頭部（３）への接合（４、５）が、前記胴部および前記頭部の成形可能な前記複合塊体を成形して、前記竿部と一体の単体にすることによって実現されることを特徴とする弦楽器用構造体。
【請求項２】
前記竿部（２）が中空であり、前記成形材料が前記竿部の中に貫通できる距離が、前記竿部の中に取り付けられた心材（６、７）によって制限されることを特徴とする請求項１に記載された弦楽器用構造体。
【請求項３】
少なくとも１つの永久中子（８）が、少なくとも前記胴部（１）の前記成形塊体の内部に形成されていることを特徴とする請求項１又は請求項２に記載された弦楽器用構造体。
【請求項４】
成形後に除去される少なくとも１つの中子（９）が、少なくとも前記胴部（１）の前記成形塊体の内部に成形されることを特徴とする請求項１又は請求項２に記載された弦楽器用構造体。
【請求項５】
竿部トラス・ロッド（１０）が成形によって楽器の中に埋め込まれており、前記トラス・ロッドは成形によって前記頭部（３）に固定されていることを特徴とする請求項１から請求項４までのいずれか１項に記載された弦楽器用構造体。
【発明の詳細な説明】
【技術分野】
【０００１】
本発明は、成形材料で作られた胴部（ボディー）と、胴部に固着された竿部（ネック）と、竿部に固着された頭部（ヘッド）とを含む弦楽器構造体に関するものである。
【背景技術】
【０００２】
前記の３つの構成部分のための材料選択、及びこれらの接合は、とりわけギターの構成に関して、常に関心が持たれている。新たな解決策を探索する際、例えば楽器の耐久性、費用、演奏適応性、重量、及び様々な音響特性に注意が払われている。
【０００３】
英国特許出願第２０３７０４９号は、頭部と竿部とストリング・アンカ（弦押さえ部）から形成されて、様々な胴部に取り付けることのできる鋳造単体（ユニット）を開示している。この解決策の目的は、前記に記載した要素に影響を与えることである。しかしながら、この解決策はなお、胴部を前記鋳造単体にいかに配置して取り付けるかという問題を含んでいる。
【０００４】
米国特許第４２９０３３６号は、従来のボルト固着法によって互いに結合された、成形可能材料から作られた頭部および胴部を記載している。例えば望みの音響特性に応じて、胴部に中実構造体、発泡構造体、又は空洞を備えることができる。この製造方法を選択する主な動機は、とりわけ伝統的な木製楽器と比較して楽器の製造費用を下げることである。
【０００５】
米国特許第５６８２００３号は、この形式のギターの寸法を小さくする目標に基づいて設計されたセミアコースティック・エレキギターを開示している。この解決策では、頭部、竿部、及び中央胴部材が一体単体を形成する。そして、中央胴部材は、個別の左胴部材および個別の右胴部材を備える。この単体は複雑であり、材料について、又は胴部部材を連結する方法について詳細な説明は記載されていない。
【０００６】
米国特許第５８９５８７２号は、弦楽器のための複合構造体を記載している。１つの実施例は、竿部、胴部下部、及び胴縁部が繊維強化材料から一体部品として成形されたアコースティック・ギターに関するものである。胴部のカバー部品を別々に取り付けて固着しなければならない。この特許に記載された電気ギター構造体は、米国特許第５６８２００３号に示された構造体に良く似ている。
【０００７】
米国特許第５９１１１６８号は、プラスチック材料で作られた胴部および竿部が、連結領域において繊維構造体を使用して一体部品に形成されている、ギター構造体を示している。これらの繊維構造体は帯状の部品であり、かなりの距離にわたって突き出て、胴部および竿部の中に入っている。この製造方法の目的は、低費用でできるだけ堅固な構造体を得ることである。
【０００８】
さらに米国特許第４０８８０５０号によって、頭部、竿部、および胴部の下部分が、プラスチックから一体部品として成形されて、同じ方法で形成された別の上部分によって覆われる、玩具ギターが知られている。しかし、この公開の教示を、より要求の厳しい構造体に適用することはできない。
【０００９】
前記の従来技術に関連する問題点には、いくつかの複雑な製造段階に起因して製造費が高いことが含まれ、結果的に消費者にとって購入価格が高くなる。従来技術による総合的な解決策では、重量が大きいこと、及び伝統的製造方法による楽器よりも音質の劣ることからも問題が発生する。
【発明の開示】
【発明が解決しようとする課題】
【００１０】
本発明の目的は、楽器のための完全に新しい構造上の解決策を提供することによって、前記の問題点を除去することである。
【課題を解決するための手段】
【００１１】
この目的は、本発明による弦楽器用構造体であって、頭部も成形材料で作られ、胴部および頭部の成形材料は複合塊体（ｃｏｍｐｏｓｉｔｅ  ｍａｓｓ）であり、頭部は炭素繊維材料から作られ、竿部の胴部および頭部への接合部は、胴部および頭部の成形可能複合塊体を成形（ｍｏｌｄｉｎｇ）して、竿部と一体の単体にすることによって実現されることを特徴とする構造体により達成される。
【００１２】
本発明は、楽器の胴部、竿部、及び頭部が、別々の固着手段又は固着材料を使用しないで、材料の適切な組合せを使用して、できるだけ少ない工程で一体単体に成形されるという考えに基づくものである。本発明では、これはすべて、予め作られた炭素繊維竿部および複合成形塊体によって達成される。
【００１３】
炭素繊維竿部中に直接成形された複合成形胴部及び頭部は、ボルトと接着固定具と胴部を貫通する竿部接合部とを備える既存の解決策よりも、音出し、音調、解決（ｒｅｓｏｌｕｔｉｏｎ）、及び保持（ｓｕｓｔａｉｎ）に関してより良い振動特性を提供する。本発明による成形接合部は、耐久性があり柔軟で安価である。使用される接合部および材料は、竿部を押すか又は引くことによって制御された方式でピッチを上下することを可能にする（ブリッジを参照）。押したか又は引いた後に、楽器は再び調子が合う。空気の温度および湿度の変動はどちらも、楽器の調律状態に影響する変化をひき起こさない。上側竿部の演奏適応性が、従来の解決策、例えばボルトによる固着又は従来の竿部基部の補強が使用される場合よりも著しく良くなるように、胴部と竿部との間の接合部を形成することができる。その理由は、竿部が接合部において補強される必要がないためである。
【００１４】
少なくとも胴部の成形塊体の内部に成形された永久中子（コア）、および成形後に除去される中子があることも好ましい。適所に残された中子は、望まれない共鳴を起こすことなく楽器の重量の減少、および質量中心の改善を可能にする。成形後に除去される中子は、中空構造を形成するために使用され、この場合には別々の固着板又は取付具がなくても電子装置を取り付けることができる。
【００１５】
本発明を、添付の図面を参照して好ましい例示的解決策によって以下にさらに詳しく説明する。
【実施例】
【００１６】
各図は、３つの主要構成部分、すなわち、胴部１、胴部１に固着された竿部２、及び竿部２に固着された頭部を含む本発明によるギター構造体を図示する。
【００１７】
胴部１および頭部３は、複合塊体からなる成形材料で作られている。同じ塊体を両部品の材料として使用してもよく、又は必要であれば、異なる組成物を胴部１及び頭部３に使用してもよい。成形塊体の基本的構成部材は適切なプラスチック材料である。その代わりに、頭部２は、設定基準を満たす、それ自体周知の炭素繊維で作られている。
【００１８】
竿部２の胴部１と頭部３とに対する接合部４及び５は、胴部１および頭部３の成形可能な複合塊体を成形して竿部２と一体単体にすることによって実現される。この実施例では、竿部２は完全に中空であり、成形材料が竿部の中に貫通する距離は、竿部の内部に取り付けられた心材（コア）６及び７によって制限される。その上、永久中子８と成形後に除去される中子９が、例えば胴部１の内部に取り付けようとする電子装置のために、胴部１の成形塊体の内部に成形されている。中子９を、蒸発、溶解、又は畳み込み式空気入り中子によって除去することができる。空気式「除去」に関連しては、ある中子材料は自然に楽器の中に残されるが、実際には中子は除去されていると言える。中子をどこにでも、例えば竿部領域に置くこともできる。竿部のトラス・ロッド１０が同時に成形によって楽器の中に埋め込まれ、この場合、トラス・ロッドは成形によって頭部３に固定される。
【００１９】
本発明の前記の説明は、単に本発明の概念の図解を意図するものである。しかし、本発明の概念を様々な方法で実施できることは当業者には明らかである。したがって、本発明は前記に説明した実施例に限定されるものではなく、その詳細を添付の特許請求の範囲内で変えることができる。
【図面の簡単な説明】
【００２０】
【図１】胴部に平行な平面で切ったエレキギターの縦断面図。
【図２】胴部に直角な平面で切った図１のエレキギターの縦断面図。
【図３】図１のＩＩＩ−ＩＩＩに沿った断面図。
【図１】
2006502429.tif 000003
【図２】
2006502429.tif 000004
【図３】
2006502429.tif 000005
【国際調査報告】
2006502429.tif 000006
2006502429.tif 000007
2006502429.tif 000008